(57)【特許請求の範囲】
【請求項１】
蓋体と底体により形成される中空の装飾部を設けた装身具本体において、前記蓋体に開口部を形成すると共に当該開口部とほぼ同一形状でややサイズを縮小した台座を複数の輪環により取り付けて隙間からなる窓部を形成し、かつ前記輪環のうち上方の輪環及び当該輪環に連結される輪環を介してカット宝石を固定した石座を前記蓋体の裏面に揺動可能に吊り下げ、さらには前記底体の内面を鏡面状に形成して、前記カット宝石が揺動すると輝きを発し、当該輝きは底体で反射されて前記窓部を通して外部に放出されることを特徴とする装身具。
【請求項２】
蓋体と底体により形成される中空の装飾部を設けた装身具本体において、前記蓋体に開口部を形成すると共に当該開口部にカット宝石を固定した石座を複数の輪環により揺動可能に取り付けると共に前記蓋体の周部には窓部を開口し、前記石座が揺動すると前記カット宝石が輝きを発し、当該輝きは底体で反射されて前記窓部を通して外部に放出されることを特徴とする装身具。
【請求項３】
前記装飾部に、前記カット宝石と異なる色合いの飾体を回動自在に挿入したことを特徴と
する請求項１から２に記載の装身具。
【請求項４】
前記蓋体の裏面には、前記カット宝石と異なる色合いの飾体を固定したことを特徴とする請求項２に記載の装身具。
【請求項５】
前記装身具が、ペンダント、指輪、ピアス、イアリング、ブローチ、ネックレス、ブレス
レットからなる一群の装身具のうちいずれかであることを特徴とする請求項１から４に記
載の装身具。
【発明の詳細な説明】
【技術分野】
【０００１】
本発明は、装身具本体における装飾部を中空に形成すると共にカット宝石を揺動可能に取
り付け、かつ装飾部の底体の内面を鏡面状に形成した装身具に関する。
【背景技術】
【０００２】
装飾部に宝石を取り付ける装身具は、宝石をより輝かせることで装身具の魅力を強く発揮
できるため、例えば、図６に示すように、基材に設けた立上り枠の所定位置に飾体を設け
、この飾体を基材に対して一定の空間を持たせた位置に配設し、当該飾体に多方面からの
入射光や反射光を照射するようにしたことを特徴とするピアス等の装身具が開発されてい
る（特願平８−２１９０１）。
【０００３】
ここで、装身具１２０は、基材１２１の表面を鏡面状にして自然光の反射を飾体１２４（
ここでは宝石を意味している。）の下面１２４ａから入射させたり飾体１２４に上方から
入射した屈折光を下方の空間１２５から放射させたり、或いは基材１２１の表面を梨地状
など粗地面にして空間１２５より入射した光を乱反射させようとするものである。
【０００４】
しかし、このような装身具１２０は、固定された飾体１２４を通過して、基材１２１によ
り反射した光を単に視認させるものに過ぎず、飾体１２４により生じる光は単調な透過光
である。したがって、反射した光によって飾体１２４の明度が増すことはあっても、飾体
１２４が宝石本来の輝き（ブリリアンシー）を発揮するという技術的効果を発揮すること
はできなかった。
【発明の開示】
【発明が解決しようとする課題】
【０００５】
本発明は、ダイアモンド等のカット宝石を装飾部に取り付けた指輪等の装身具において、
カット宝石を揺動可能に取り付け、かつ装飾部の底体の内面を鏡面状に形成して、宝石本
来の輝き（ブリリアンシー）を発揮する装身具を提供することを目的とする。また、装飾
部に異なる色合いの飾体を挿入して、窓部を通じて種々の色彩からなる輝き（ブリリアン
シー）を楽しむことができる装身具を提供することを目的とする。
【課題を解決するための手段】
【０００６】
上記課題を解決するために請求項１に記載された発明は、蓋体と底体により形成される中空の装飾部を設けた装身具本体において、前記蓋体に開口部を形成すると共に当該開口部とほぼ同一形状でややサイズを縮小した台座を複数の輪環により取り付けて隙間からなる窓部を形成し、かつ前記輪環のうち上方の輪環及び当該輪環に連結される輪環を介してカット宝石を固定した石座を前記蓋体の裏面に揺動可能に吊り下げ、さらには前記底体の内面を鏡面状に形成して、前記カット宝石が揺動すると輝きを発し、当該輝きは底体で反射されて前記窓部を通して外部に放出される装身具であることを特徴とする。また、請求項２に記載された発明は、蓋体と底体により形成される中空の装飾部を設けた装身具本体において、前記蓋体に開口部を形成すると共に当該開口部にカット宝石を固定した石座を複数の輪環により揺動可能に取り付けると共に前記蓋体の周部には窓部を開口し、さらには前記底体の内面を鏡面状に形成して、前記石座が揺動すると前記カット宝石が輝きを発し、当該輝きは底体で反射されて前記窓部を通して外部に放出される装身具であることを特徴とする。
【０００７】
請求項３に記載された発明は、請求項１から２に記載の装身具において、前記装飾部に、前記カット宝石と異なる色合いの飾体を回動自在に挿入したことを特徴とする。また、請求項４に記載された発明は、請求項２に記載の装身具の装身具において、前記蓋体の裏面には、前記カット宝石と異なる色合いの飾体を固定したことを特徴とする。なお、本発明においては、なお、本発明においては、前記装身具が、ペンダント、指輪、ピアス、イアリング、ブローチ、ネックレス、ブレスレットからなる一群の装身具のうちいずれかであることが好ましい。
【発明の効果】
【０００８】
請求項１に記載された発明によれば、蓋体に吊り下げられたカット宝石が、装身具を着用する者の動きを微妙に反映した台座が揺動し、揺動したカット宝石より発せられる光を反射し、さらにその光は窓部を通じて放出されるため、装身具は宝石本来の輝き（ブリリアンシー）を発揮することができる。請求項２に記載された発明によれば、蓋体の開口部に複数の輪環により連結された台座に固定されたカット宝石は、微妙に揺動することができるので、装身具がきらめくような輝き（ブリリアンシー）を発揮することができる。
【０００９】
請求項３又は請求項４に記載された発明によれば、装飾部に回動可能に挿入された飾体の
色合いが鏡面体で反射され、宝石の輝き（ブリリアンシー）と飾体の異なる色合いの輝き
（ブリリアンシー）が重なり、装身具が万華鏡のような美しさを発揮することができる。
【発明を実施するための最良の形態】
【００１０】
以下、本発明に係る装身具の好ましい実施例を図面により詳細に説明する。図１において、（ａ）は第１ペンダントの蓋体の裏面を示す平面図、（ｂ）は第１ペンダントの底体の
内面を示す平面図である。また、図２において、（ａ）は第１ペンダントを示す斜視図、
（ｂ）はその断面と入射光の道筋を示す説明図である。
【００１１】
第１ペンダント１０における第１ペンダント本体１１は、装飾部１２と吊下げ部１４から
構成される。
【００１２】
第１ペンダント本体１１は、例えば、金、プラチナ、銀等の貴金属を素材とするものであ
るが、これに限定されることなく、合成樹脂等を使用することもできる。また、カット宝
石１５は、例えば、大きくカットされたダイアモンド、合成ダイアモンド、模造ダイアモ
ンド等の無色透明宝石であるが、これに限定されることなく、例えば、ルビー等の有色透
明石を使用することもできる。
【００１３】
装飾部１２は、例えば、蓋体１６と底体１８に分離することができ、その場合にはいずれ
も平面円形状、断面カップ形状の板状部材となり、双方を重ね合わせて中空の装飾部１２
を形成することができる。ここで、装飾部１２の全体形状に特に限定はなく、例えば、平
面多角形状でも、平面ハート形状でも差し支えないのはもちろんである。
【００１４】
蓋体１６の中央には、外部から光を取り込み、かつ底体１８により反射された光を視認す
るため、例えば、幾何学的模様のような装飾的形状からなる開口部２０が形成され、それ
とほぼ同一形状でややサイズを縮小し、中央に開口部２０を形成した台座２２が、所定の
箇所に設けられた複数の輪環２４を介して蓋体１６に取り付けられている。
【００１５】
このような台座２２は、蓋体１６に対しわずかに揺動可能となり、また、蓋体１６と台座
２２の間には幾何学的模様の隙間である窓部２６が形成される。
【００１６】
また、蓋体１６と台座２２を連結する輪環２４のうち上方の輪環２４ａには、環状体にカ
ット宝石１５を下部より挿入して着座させ、短く立ち上がる複数本の爪部２８ｂを折り曲
げてカット宝石１５を固定した石座２８が、輪環２４ｂ及び輪環２８ａを介して揺動可能
に連結されている。なお、石座２８の形状やカット宝石１５の石座２８への固定方法に特
に限定はなく、いわゆる覆輪留めやレール留めによることもできる。また、石座２８と台
座２２の連結方法にも特に限定はなく、要は台座２２にカット宝石１５を揺動可能に取り
付けるものであれば良い。
【００１７】
一方、底体１８の内面１８ａは研磨されて鏡面状に形成され、開口部２０や窓部２６より
カット宝石１５に入射する光が、カット宝石１５が揺れることで、輝き（ブリリアンシー
）を生じながら光を出射し、さらにその光を反射することができる。ここで、内面１８ａ
は梨地状のように粗地面状として乱反射をさせるようにしても良く、この場合には異なっ
た光沢を生じることができる。なお、内面１８ａは曲面状に形成されているが、平面や凹
凸面であっても差し支えなく、反射面の形態によって、各種の反射機能が得られる。
【００１８】
さらに、底体１８の頂部には、よりサイズが大きく太径となる輪環状の吊下部１４が取り
付けられ、ネックレスチェーン２９等を側部方向から挿入することができる。
【００１９】
第１ペンダント１０を完成するには、カット宝石１５を固定した石座２８を蓋体１６の裏
面に連結した後、蓋体１６と底体１８を組み合わせ、例えば、ロー付け等の手段で双方を
固着して中空の装飾部１２を形成し、さらに底体１８又は蓋体１６に吊下部１４を同様の
手段で取り付ければ良いが、もちろんロストワックスキャスティング等の方法で一体的に
成型しても良い。
【００２０】
このような第１ペンダント１０は、ネックレスチェーン２９を首から下げることで身に付
けることができ、身に付けた状態においては装飾部１２の内部で台座２８がいわゆる宙吊
り状態となる。したがって、身体が動くとその動きを微妙に反映してカット宝石１５が揺
動し、開口部２０及び窓部２６よりカット宝石１５に入射した光は、輝き（ブリリアンシ
ー）を生じながら出射し、底体１８の内面１８ａで反射され、蓋体１６の窓部２６を通し
て外部に放出される。すなわち、多くの輝き（ブリリアンシー）を生じた反射光が装飾体
１２を見る者には視認され、第１ペンダント１０は強く輝き、装身具としての魅力を発揮
することができる。
【００２１】
図３において、（ａ）は第１指輪の第１蓋体を示す平面図、（ｂ）はその側面図である。
また、図４は第１指輪と入射光の道筋を示す説明図である。
【００２２】
第１指輪３０における第１指輪本体３１は、装飾部３２とリング部３４から構成される。
【００２３】
第１指輪本体３１は、例えば、金、プラチナ、銀等の貴金属を素材とするものであるが、
これに限定されることなく、合成樹脂等を使用することもできる。また、カット宝石３５
は、例えば、小さくカットされたダイアモンド、合成ダイアモンド、模造ダイアモンド等
の無色透明宝石であるが、これに限定されることなく、例えば、ルビー等の有色透明石を
使用することもできる。
【００２４】
装飾部３２は、例えば、第１蓋体３６と底体３８に分離することができ、その場合にはい
ずれも平面円形状、断面カップ形状の板状部材であり、双方を重ね合わせて中空の装飾部
３２を形成することができる。ここで、装飾部３２の全体形状には特に限定はなく、例え
ば、平面多角形状でも、平面ハート形状でも差し支えないのはもちろんである。
【００２５】
第１蓋体３６の中央には、外部から光を取り込み、かつ底体により反射された光を視認す
るため、例えば、大柄な花弁模様のような装飾的形状が開口され、小ぶりな花弁模様のよ
うな装飾的形状からなる台座４２が、両端の２箇所に設けられた輪環３６ａ及び輪環４２
ａを介して取り付けられている。
【００２６】
このような台座４２は、第１蓋体３６に対し左右方向で揺動可能となり、また、第１蓋体
３６と台座４２の間には隙間からなる窓部４６が形成される。
【００２７】
また、台座４２における複数の所定箇所には、穴部が開口され（図示せず。）、この穴部
にカット宝石３５を載置した後、その周囲を寄せるように押しつぶす方法、いわゆる彫留
めでカット宝石３５を固定している。なお、カット宝石３５の台座４２への固定方法に特
に限定はなく、爪留めやレール留めによることもできるのはもちろんである。また、台座
４２と第１蓋体３６の連結方法にも特に限定はなく、要は第１蓋体３６に台座４２が揺動
可能に取り付けられば良い。
【００２８】
一方、底体３８の内面（図示せず。）、第１ペンダント１０と同様に研磨されて鏡面状と
なり、外部から揺れる宝石３５に入射し、輝き（ブリリアンシー）を生じながら出射した
光を反射することができる。ここで、内面を梨地状のように粗地面状とすることによって
乱反射をさせるようにしても良く、この場合には異なった光沢を生じることができる。な
お、内面は曲面状に形成されているが、平面や凹凸面であっても差し支えなく、反射面の
形態によっては、各種の反射機能が得られる。
【００２９】
リング部３４は、通常の指輪の腕部に該当するもので、上方の一部が欠けた輪状であって
、その断面形状は長方形で、いわゆる平打ち指輪と呼ばれるようなものである。ここで、
リング部３４の断面形状にもちろん限定はなく、円形状、半円形状等、他の形状を採用す
ることもできる。
【００３０】
第１指輪３０を完成するには、カット宝石３５を固定した台座４２を第１蓋体３６に連結
した後、第１蓋体３６と底体３８を組み合わせ、例えば、ロー付け等の手段で双方を固着
して中空の装飾部３２を形成し、さらに装飾部３２の下方にリング部３４を同様の手段で
取り付ければ良いが、もちろんロストワックスキャスティング等の方法で一体的に成型し
ても良い。
【００３１】
このような第１指輪３０は、リング部３４に手指を通して身に付けることができ、その状
態において装飾部３２の台座４２は揺動可能となる。したがって、身体が動くとその動き
を微妙に反映して台座４２が揺動し、上方よりカット宝石３５に入射した外光は、輝き（
ブリリアンシー）を生じながら出射し、底体３８の内面で反射され、窓部４６を通して外
部に放される。また、窓部４６より入射した光も底体３８の内面で反射され、同様にカッ
ト宝石３５に入射し、輝き（ブリリアンシー）を生じながら窓部４６より放出する。この
第１指輪３０には、見る者に輝き（ブリリアンシー）を生じた多くの反射光が視認される
ため、第１指輪３０は装身具としての美しさを発揮することができる。
【００３２】
なお、図５は、第１指輪の第２蓋体を示す側面図である。
【００３３】
第２蓋体７６は、第１蓋体３６と略同様に装飾的形状が開口され、さらに同様の装飾的形
状で小ぶりな台座８２が、両端の２箇所に設けられた輪環７６ａ及び輪環８２ａを介して
取り付けられている。
【００３４】
このような台座８２は、第２蓋体７６と揺動可能となり、第２蓋体７６との間には隙間か
らなる窓部８６が形成される点は、第１蓋体３６と同様である。
【００３５】
しかし、第１蓋体３６と異なり、台座８２の表面には、特にカット宝石１５を固定する必
要はなく、例えば、装飾的模様の彫刻８２ａを施せば、装身具としての美しさを保つこと
ができる。
【００３６】
そして、第２蓋体７６においては、裏面の略中央に半輪環８７が突設され、さらに半輪環
８７には吊下環８８を連結し、第１ペンダント１０に使用したと同様の石座２８によりカ
ット宝石１５を固定し、石座２８に吊下環８８を固着することで、カット宝石１５が吊下
げられている。
【００３７】
第１指輪３０に第２蓋体７６を取り付けても、第１蓋体３６と略同様の効果を発揮するこ
とができる。すなわち、身体が動くと台座８２が揺動し、窓部８６より入射した外光は、
カット宝石１５において輝き（ブリリアンシー）を生じながら出射し、底体３８の内面で
反射され、窓部８６を通して外部に放出される。よって、第１指輪３０は装身具としての
美しさを発揮することができる。
【００３８】
図５において、（ａ）は第２ペンダントの第１蓋体を示す平面図、（ｂ）は第２ペンダン
トの装飾部の断面図、（ｃ）は第２ペンダントと入射光の道筋を示す説明図である。
【００３９】
第２ペンダント５０における第２ペンダント本体５１は、装飾部５２と吊下部５４から構
成される。
【００４０】
第２ペンダント本体５１は、例えば、金、プラチナ、銀等の貴金属を素材とするものであ
るが、これに限定されることなく、合成樹脂等を使用することもできる。また、第１カッ
ト宝石５５は、例えば、大きくカットされたダイアモンド、合成ダイアモンド、模造ダイ
アモンド等の無色透明宝石であるが、これに限定されることなく、例えば、ルビー等の有
色透明石を使用することもできる。
【００４１】
装飾部５２は、例えば、第１蓋体５６と底体５８に分離することができ、その場合にはい
ずれも平面円形状、断面カップ形状の板状部材となり、双方を重ね合わせて中空体を形成
することができる。ここで、装飾部５２の形状に特に限定はなく、例えば、平面多角形状
でも、平面ハート形状でも差し支えないのはもちろんである。
【００４２】
第１蓋体５６の中央には、例えば、円形状に開口され、また、環状体に第１カット宝石５
５を下部より挿入して着座させ、短く立ち上がる複数本の爪部６８ｂを折り曲げて第１カ
ット宝石５５を固定した石座６８が複数の輪環６８ａにより、開口部分に揺動可能に連結
されている。なお、開口部及び石座６８の形状や第１カット宝石５５の石座６８への固定
方法に特に限定はなく、いわゆる覆輪留めやレール留めによることもできる。また、石座
６８と第１蓋体５６の連結方法にも特に限定はなく、要は、第１蓋体５６に第１カット宝
石５５が揺動可能に取り付けられるようなものであれば良い。
【００４３】
このような石座６８は、第１蓋体５６に対しわずかに揺動可能となる。
【００４４】
第１蓋体５６の周部には、外光を取り込み、かつ底体の内面５８ａにより反射された光を
放出するために、例えば、８つのハート形状からなる窓部６６が開口されている。なお、
窓部６６の形状や数にも特に限定がなく、円形やその他の形状でも差し支えなく、また２
つの窓部６６でも、より多数の窓部６６を開口しても差し支えない。
【００４５】
一方、底体５８の内面５８ａは研磨されて鏡面が形成され、外部より第１カット宝石５５
に入射した光及び窓部６６より取り込まれた光が、第１カット宝石５５が揺れて輝き（ブ
リリアンシー）を生じた出射光を反射することができる。ここで、内面５８ａは梨地状の
ように粗地面状として乱反射をさせるようにしても良く、この場合には異なった光沢を生
じることができる。なお、内面５８ａは曲面状に形成されているが、平面や凹凸面であっ
ても差し支えなく、反射面の形態によって、各種の反射機能が得られる。
【００４６】
さらに、第２ペンダント５０においては、中空の装飾部５２内に、飾体として、例えば、
第２カット宝石７０が回動自在に挿入される。第２カット宝石７０は、第２ペンダント５
０を身に付けると自由に動き回り、窓部６６から入射した光を取り込んで、種々の輝き（
ブリリアンシー）を生ずる。
【００４７】
なお、第２カット宝石７０の素材は、例えば、大きくカットされたルビー等の有色透明石
であるが、これに限定されることなくミラーボール、ビーズ等を使用することもできる。
なお、第１カット宝石５５と第２カット宝石７０は色合いが異なることが好ましい。
【００４８】
さらに、底体５８の頂部には、前後方向で楕円状に湾曲する太線からなる吊下部５４が取
り付けられる。
【００４９】
第２ペンダント５０を完成するには、第１カット宝石５５を固定した石座６８を第１蓋体
５６の開口部に連結し、第２カット宝石７０を内部に挿入した後、第１蓋体５６と底体５
８を組み合わせ、例えば、ロー付け等の手段で双方を固着して中空の装飾部５２を形成し
、さらに底体に吊下部５４を同様の手段で取り付ければ良いが、もちろんロストワックス
キャスティング等の方法で一体的に成型しても良い。
【００５０】
このような第２ペンダント５０は、吊下部５４にネックレスチェーン６９等を通して身に
付けることができ、身に付けた状態においては石座６８が揺動可能となる。したがって、
身体が動くとその動きを微妙に反映して第１カット宝石５５は揺動し、外部より入射した
光は、輝き（ブリリアンシー）を生じながら出射し、底体５８の内面５８ａで反射され、
窓部６６を通して放出される。
【００５１】
さらに第２ペンダント５０においては、窓部６６を通じて装飾部５２に入り込んだ光が第
２カット宝石７０にも入射し、第２カット宝石７０は回動するので、様々の反射光を生ず
ることができる。特に、第１カット宝石５５と第２カット宝石７０の色合いが異なる場合
には、複数の色合いによる反射光を生じ、第２ペンダント５０はあたかも万華鏡のように
強く輝き、装身具としての美しさを発揮することができる。
【００５２】
なお、図７は、第２ペンダントの第２蓋体を示す側面図である。
【００５３】
第２蓋体９６は、第１蓋体３６と略同様に装飾的形状が開口され、さらに同様の装飾的形
状で小ぶりな台座１０２が、両端の２箇所に設けられた輪環９６ａ及び輪環１０２ａを介
して取り付けられている。
【００５４】
このような台座１０２は、第２蓋体９６と揺動可能となり、第２蓋体９６との間には隙間
からなる窓部１０６を形成する点は、第１蓋体３６と同様である。
【００５５】
また、台座１０２における複数の所定箇所には、穴部が開口され（図示せず。）、この穴
部に第１指輪３０で使用したと同様なカット宝石３５を、例えば、彫留めにより同様に固
定している。ここで、カット宝石３５の台座１０２への固定方法に特に限定はなく、また
、台座１０２と第２蓋体９６の連結方法にも特に限定はない。
【００５６】
さらに、第２蓋体９６においては、第１ペンダント１０で使用されたと同様なカット宝石
１５が、やはり同様な石座１０８により固定されて、石座１０８を固着することで、飾体
として台座１０２の裏面略中央に取り付けられる。
【００５７】
ここで、カット宝石３５とカット宝石１５の素材には限定はないが、カット宝石３５とカ
ット宝石１５は色合いが異なることが好ましい。
【００５８】
第２ペンダント５０に第２蓋体９６を使用した場合の効果は、第１蓋体５６を使用した場
合と略同様で、カット宝石３５とカット宝石１５の色合いが異なることで、複数の色合い
による反射光を生じ、第２ペンダント５０はあたかも万華鏡のように強く輝き、装身具と
しての美しさを発揮することができる。
【００５９】
以上、前記の実施例では本発明が有利に適用される場合として、カット宝石を蓋体と底体
から形成される装飾部に取り付ける方法を説明したが、少なくても中空の装飾部であれば
カット宝石の輝きを反射する鏡面をいずれかに形成することが可能であるから、必ずしも
装飾部が蓋体と底体に分離できることは必要ない。また、カット宝石をその他、本発明の
技術的効果を奏するブローチ等の装身具に取り付ける、異なるカット形状の宝石や小粒の
第１カット宝石、第２カット宝石、第３カット宝石等、より多数の宝石を蓋体に吊り下げ
る等、デザインだけの違いであれば、本発明の範疇に含まれるのは当然である。
【図面の簡単な説明】
【００６０】
【図１】（ａ）は第１ペンダントの蓋体の裏面を示す平面図、（ｂ）は第１ペンダントの底体の内面を示す平面図である。
【図２】（ａ）は第１ペンダントを示す斜視図、（ｂ）はその断面と入射光の道筋を示す説明図である。
【図３】（ａ）は第１指輪の第１蓋体を示す平面図、（ｂ）はその側面図である。
【図４】第１指輪と入射光の道筋を示す説明図である。
【図５】第１指輪の第２蓋体を示す側面図である。
【図６】（ａ）は第２ペンダントの第１蓋体を示す平面図、（ｂ）は第２ペンダントの装飾部の断面図、（ｃ）は第２ペンダントと入射光の道筋を示す説明図である。
【図７】第２ペンダントの第２蓋体を示す側面図である。
【図８】従来の鏡面装身具を示す斜視図である。
【符号の説明】
【００６１】
１０  第１ペンダント
１１  第１ペンダント本体
１２  装飾部
１２  装飾体
１４  吊下げ部
１５  カット宝石
１６  蓋体
１８  底体
１８ａ  内面
２０  開口部
２２  台座
２４  輪環
２４ａ  輪環
２４ｂ  輪環
２６  窓部
２８  石座
２８ａ  輪環
２８ｂ  爪部
２９  ネックレスチェーン
３０  第１指輪
３１  第１指輪本体
３２  装飾部
３４  リング部
３５  カット宝石
３６  第１蓋体
３６ａ  輪環
３８  底体
４２  台座
４２ａ  輪環
４６  窓部
５０  第２ペンダント
５１  第２ペンダント本体
５２  装飾部
５４  吊下部
５５  第１カット宝石
５６  第１蓋体
５８  底体
５８ａ  内面
６６  窓部
６８  石座
６８ａ  輪環
６８ｂ  爪部
６９  ネックレスチェーン
７０  第２カット宝石
７６  第２蓋体
７６ａ  輪環
８２  台座
８２ａ  輪環
８２ａ  彫刻
８６  窓部
８７  半輪環
８８  吊下環
９６  第２蓋体
９６ａ  輪環
１０２  台座
１０２ａ  輪環
１０６  窓部
１０８  石座
１２０  装身具
１２１  基材
１２４  飾体
１２４ａ  下面
１２５  空間
【要約】      （修正有）【課題】中空の装飾部にカット宝石を揺動可能に取り付け、かつ装飾部の底体の内面を鏡面状に形成して、宝石本来の輝きを発揮する装身具を提供すること及び異なる色合いの飾体を挿入して種々の色彩を楽しむこと。【解決手段】装身具本体に底体１８と蓋体１６より形成される中空の装飾部１２を設け、底体１８の内面を鏡面状に形成し、蓋体１６に窓部２６を開口すると共にカット宝石１５を揺動可能に取り付ける、さらに異なる色合いの飾体を装飾部に挿入する。【選択図】図２【図１】
0004319240.tif 000002
【図２】
0004319240.tif 000003
【図３】
0004319240.tif 000004
【図４】
0004319240.tif 000005
【図５】
0004319240.tif 000006
【図６】
0004319240.tif 000007
【図７】
0004319240.tif 000008
【図８】
0004319240.tif 000009